【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
略円板形状の中央部と、該中央部の外周を全周に亘って囲む略円環形状の環状固定部と、該中央部と該環状固定部との間に形成された内外両面の各環状溝とを有している一方、該中央部にはスリットが形成されており、流体流路の開口部分に配されて雄コネクタが該スリットへ繰り返し挿抜可能とされる略ディスク形状の弾性弁体を備えていると共に、
該弾性弁体の内外両面に形成された前記各環状溝に対して前記流体流路の開口部分に設けられた内外の係止突部が差し入れられて、該内外の係止突部の突出先端が対向して該内外の環状溝に係止されることによって、該弾性弁体が該流体流路の開口部分に保持された医療用弁であって、
前記弾性弁体の内面に形成された前記環状溝の内周側には、前記中央部の内面における外周面が面する凹溝部が設けられており、
前記雄コネクタが前記スリットへ挿入されることで、該中央部の内面が前記流体流路の開口部分の内周面に対して当接可能とされていることを特徴とする医療用弁。
【請求項２】
外周部分の内外両面をそれぞれ周方向に延びる環状溝が対向することで環状の括れ状部が設けられて、該括れ状部よりも外周側が環状固定部とされている一方、中央部にはスリットが形成されており、流体流路の開口部分に配されて雄コネクタが該スリットへ繰り返し挿抜可能とされる略ディスク形状の弾性弁体を備えていると共に、
該弾性弁体の内外両面に形成された前記各環状溝に対して前記流体流路の開口部分に設けられた内外の係止突部が差し入れられて、該内外の係止突部が該括れ状部を係止することによって、該弾性弁体が該流体流路の開口部分に保持された医療用弁であって、
前記弾性弁体の内面に形成された前記環状溝の内周側には、前記中央部の内面における外周面が面する凹溝部が設けられており、
前記雄コネクタが前記スリットへ挿入されることで、該中央部の内面が前記流体流路の開口部分の内周面に対して当接可能とされていることを特徴とする医療用弁。
【請求項３】
外周部分の内外両面をそれぞれ周方向に延びる環状溝が対向することで環状の括れ状部が設けられて、該括れ状部よりも外周側が環状固定部とされている一方、中央部にはスリットが形成されており、流体流路の開口部分に配されて雄コネクタが該スリットへ繰り返し挿抜可能とされる略ディスク形状の弾性弁体を備えていると共に、
該弾性弁体の内外両面に形成された前記各環状溝に対して前記流体流路の開口部分に設けられた内外の係止突部が差し入れられて、該内外の係止突部が該括れ状部を係止することによって、該弾性弁体が該流体流路の開口部分に保持された医療用弁であって、
前記弾性弁体の内面に形成された前記環状溝の内周側には、前記中央部の内面における外周面が面する凹溝部が設けられており、該弾性弁体の内面において該中央部の外周面が中心から２ｍｍ以上離れていると共に、
前記雄コネクタが前記スリットへ挿入されることで、該中央部の内面が前記流体流路の開口部分の内周面に対して当接可能とされていることを特徴とする医療用弁。
【請求項４】
前記弾性弁体において、前記括れ状部が、前記中央部の厚さ方向で内面寄りの位置に形成されている請求項２又は３に記載の医療用弁。
【請求項５】
前記弾性弁体の前記中央部の厚さ寸法が１〜３ｍｍとされている請求項１〜４の何れか一項に記載の医療用弁。
【請求項６】
前記弾性弁体の直径が５〜６．５ｍｍとされている請求項１〜５の何れか一項に記載の医療用弁。
【請求項７】
前記流体流路の開口部分には、径方向内方に突出する弁受座が形成されており、該弁受座の内周縁部には、外方に向けて突出して前記弾性弁体の内面に形成された前記環状溝に係止される前記係止突部が形成されている請求項１〜６の何れか一項に記載の医療用弁。
【請求項８】
前記弾性弁体における前記中央部は、内外両面に形成された前記環状溝の各溝底面からの内外への突出高さが異ならされており、該中央部における内面側の該環状溝の溝底面からの厚さよりも外面側の該環状溝の溝底面からの厚さの方が厚肉とされている請求項１〜７の何れか一項に記載の医療用弁。
【請求項９】
前記弾性弁体における前記中央部の外周面が、該弾性弁体の外面側より内面側の方が小さくされている請求項１〜８の何れか一項に記載の医療用弁。
【請求項１０】
前記弾性弁体の前記スリットへの前記雄コネクタの挿入状態において、該雄コネクタのルアーチップが該弾性弁体のみで保持されて、前記流体流路の開口部分の内周面に対して非接触とされる請求項１〜９の何れか一項に記載の医療用弁。
【請求項１１】
前記流体流路の開口部分には前記係止突部の形成位置から内方に延びる筒壁部が設けられており、前記雄コネクタが前記スリットに挿し入れられることで前記弾性弁体が変形して入り込む該筒壁部の内周面が、該係止突部の内周面よりも広がっている請求項１〜１０の何れか一項に記載の医療用弁。
【請求項１２】
前記雄コネクタが前記スリットに挿し入れられることで前記弾性弁体の前記凹溝部の内面が前記係止突部の内周面に当接して隙間の発生が防止されている請求項１〜１１の何れか一項に記載の医療用弁。
【請求項１３】
前記弾性弁体の前記環状固定部は、径方向の厚さ寸法に比して軸方向の長さ寸法が大きくされた略矩形断面形状をもって周方向に連続して延びていると共に、該環状固定部の軸方向上端面が前記中央部の軸方向上端面よりも軸方向内方に低くされている請求項１〜１２の何れか一項に記載の医療用弁。
【請求項１４】
前記流体流路の開口部分における外周面には、前記雄コネクタとしてのルアーロックコネクタの雌ねじ部が螺合する雄ねじ部が形成されている請求項１〜１３の何れか一項に記載の医療用弁。
【手続補正２】
【補正対象書類名】明細書
【補正対象項目名】０００７
【補正方法】変更
【補正の内容】
【０００７】
請求項１に記載の本発明は、略円板形状の中央部と、該中央部の外周を全周に亘って囲む略円環形状の環状固定部と、該中央部と該環状固定部との間に形成された内外両面の各環状溝とを有している一方、該中央部にはスリットが形成されており、流体流路の開口部分に配されて雄コネクタが該スリットへ繰り返し挿抜可能とされる略ディスク形状の弾性弁体を備えていると共に、該弾性弁体の内外両面に形成された前記各環状溝に対して前記流体流路の開口部分に設けられた内外の係止突部が差し入れられて、該内外の係止突部の突出先端が対向して該内外の環状溝に係止されることによって、該弾性弁体が該流体流路の開口部分に保持された医療用弁であって、前記弾性弁体の内面に形成された前記環状溝の内周側には、前記中央部の内面における外周面が面する凹溝部が設けられており、前記雄コネクタが前記スリットへ挿入されることで、該中央部の内面が前記流体流路の開口部分の内周面に対して当接可能とされている医療用弁を、構成上の特徴とする。
請求項２に記載の本発明は、外周部分の内外両面をそれぞれ周方向に延びる環状溝が対向することで環状の括れ状部が設けられて、該括れ状部よりも外周側が環状固定部とされている一方、中央部にはスリットが形成されており、流体流路の開口部分に配されて雄コネクタが該スリットへ繰り返し挿抜可能とされる略ディスク形状の弾性弁体を備えていると共に、該弾性弁体の内外両面に形成された前記各環状溝に対して前記流体流路の開口部分に設けられた内外の係止突部が差し入れられて、該内外の係止突部が該括れ状部を係止することによって、該弾性弁体が該流体流路の開口部分に保持された医療用弁であって、前記弾性弁体の内面に形成された前記環状溝の内周側には、前記中央部の内面における外周面が面する凹溝部が設けられており、前記雄コネクタが前記スリットへ挿入されることで、該中央部の内面が前記流体流路の開口部分の内周面に対して当接可能とされている医療用弁を、構成上の特徴とする。
請求項３に記載の本発明は、外周部分の内外両面をそれぞれ周方向に延びる環状溝が対向することで環状の括れ状部が設けられて、該括れ状部よりも外周側が環状固定部とされている一方、中央部にはスリットが形成されており、流体流路の開口部分に配されて雄コネクタが該スリットへ繰り返し挿抜可能とされる略ディスク形状の弾性弁体を備えていると共に、該弾性弁体の内外両面に形成された前記各環状溝に対して前記流体流路の開口部分に設けられた内外の係止突部が差し入れられて、該内外の係止突部が該括れ状部を係止することによって、該弾性弁体が該流体流路の開口部分に保持された医療用弁であって、前記弾性弁体の内面に形成された前記環状溝の内周側には、前記中央部の内面における外周面が面する凹溝部が設けられており、該弾性弁体の内面において該中央部の外周面が中心から２ｍｍ以上離れていると共に、前記雄コネクタが前記スリットへ挿入されることで、該中央部の内面が前記流体流路の開口部分の内周面に対して当接可能とされている医療用弁を、構成上の特徴とする。
請求項４に記載の本発明は、前記弾性弁体において、前記括れ状部が、前記中央部の厚さ方向で内面寄りの位置に形成されている請求項２又は３に記載の医療用弁を、構成上の特徴とする。
請求項５に記載の本発明は、前記弾性弁体の前記中央部の厚さ寸法が１〜３ｍｍとされている請求項１〜４の何れか一項に記載の医療用弁を、構成上の特徴とする。
請求項６に記載の本発明は、前記弾性弁体の直径が５〜６．５ｍｍとされている請求項１〜５の何れか一項に記載の医療用弁を、構成上の特徴とする。
請求項７に記載の本発明は、前記流体流路の開口部分には、径方向内方に突出する弁受座が形成されており、該弁受座の内周縁部には、外方に向けて突出して前記弾性弁体の内面に形成された前記環状溝に係止される前記係止突部が形成されている請求項１〜６の何れか一項に記載の医療用弁を、構成上の特徴とする。
請求項８に記載の本発明は、前記弾性弁体における前記中央部は、内外両面に形成された前記環状溝の各溝底面からの内外への突出高さが異ならされており、該中央部における内面側の該環状溝の溝底面からの厚さよりも外面側の該環状溝の溝底面からの厚さの方が厚肉とされている請求項１〜７の何れか一項に記載の医療用弁を、構成上の特徴とする。
請求項９に記載の本発明は、前記弾性弁体における前記中央部の外周面が、該弾性弁体の外面側より内面側の方が小さくされている請求項１〜８の何れか一項に記載の医療用弁を、構成上の特徴とする。
請求項１０に記載の本発明は、前記弾性弁体の前記スリットへの前記雄コネクタの挿入状態において、該雄コネクタのルアーチップが該弾性弁体のみで保持されて、前記流体流路の開口部分の内周面に対して非接触とされる請求項１〜９の何れか一項に記載の医療用弁を、構成上の特徴とする。
請求項１１に記載の本発明は、前記流体流路の開口部分には前記係止突部の形成位置から内方に延びる筒壁部が設けられており、前記雄コネクタが前記スリットに挿し入れられることで前記弾性弁体が変形して入り込む該筒壁部の内周面が、該係止突部の内周面よりも広がっている請求項１〜１０の何れか一項に記載の医療用弁を、構成上の特徴とする。
請求項１２に記載の本発明は、前記雄コネクタが前記スリットに挿し入れられることで前記弾性弁体の前記凹溝部の内面が前記係止突部の内周面に当接して隙間の発生が防止されている請求項１〜１１の何れか一項に記載の医療用弁を、構成上の特徴とする。
請求項１３に記載の本発明は、前記弾性弁体の前記環状固定部は、径方向の厚さ寸法に比して軸方向の長さ寸法が大きくされた略矩形断面形状をもって周方向に連続して延びていると共に、該環状固定部の軸方向上端面が前記中央部の軸方向上端面よりも軸方向内方に低くされている請求項１〜１２の何れか一項に記載の医療用弁を、構成上の特徴とする。
請求項１４に記載の本発明は、前記流体流路の開口部分における外周面には、前記雄コネクタとしてのルアーロックコネクタの雌ねじ部が螺合する雄ねじ部が形成されている請求項１〜１３の何れか一項に記載の医療用弁を、構成上の特徴とする。